(57)【要約】【課題】小型で、記録紙を設置する際の蓋部の開閉操作のしやすいプリンタ装置を提供する。【解決手段】本体部と、蓋部とを有するプリンタ装置において、前記本体部及び前記蓋部の一方に設けられた長穴と、他方に設けられた前記長穴に対応する第１の接続軸部と、前記本体部及び前記蓋部の一方に設けられた溝と、他方に設けられた前記溝に対応する第２の接続軸部と、を有し、前記蓋部は、前記第１の接続軸部を軸として前記本体部に回動可能に取り付けられ、前記溝は前記長穴の長手方向に平行に設けられており、前記第２の接続軸部が前記溝にある状態では、前記本体部に対して蓋部がスライドし、前記第２の接続軸部が前記溝より外に出ている状態では、前記第１の接続軸部を軸に蓋部を回動させることができることを特徴とするプリンタ装置を提供することにより上記課題を解決する。【選択図】  図１６
2019126913.tif 000002
【特許請求の範囲】
【請求項１】
本体部と、蓋部とを有するプリンタ装置において、
前記本体部及び前記蓋部の一方に設けられた長穴と、他方に設けられた前記長穴に対応する第１の接続軸部と、
前記本体部及び前記蓋部の一方に設けられた溝と、他方に設けられた前記溝に対応する第２の接続軸部と、
を有し、
前記蓋部は、前記第１の接続軸部を軸として前記本体部に回動可能に取り付けられ、
前記溝は前記長穴の長手方向に平行に設けられており、
前記第２の接続軸部が前記溝にある状態では、前記本体部に対して蓋部がスライドし、前記第２の接続軸部が前記溝より外に出ている状態では、前記第１の接続軸部を軸に蓋部を回動させることができることを特徴とするプリンタ装置。
【請求項２】
前記本体部には付勢部材が設けられており、
前記付勢部材の一方の側には突起が設けられており、
前記蓋部には、スライド方向において前記突起と接触して、前記蓋部のスライドを制限する係止部が設けられており、
前記蓋部を動かし、前記係止部が、前記突起よりも内側から外側にすることにより、前記蓋部が回動可能となることを特徴とする請求項１に記載のプリンタ装置。
【請求項３】
前記本体部と前記蓋部とが離れる方向に復元力を有するバネが設けられていることを特徴とする請求項１または２に記載のプリンタ装置。
【発明の詳細な説明】
【技術分野】
【０００１】
本発明は、プリンタ装置に関する。
【背景技術】
【０００２】
レシート等を発行するプリンタ装置は、商店等のレジスタ、銀行等におけるＡＴＭ（Automated Teller Machine）やＣＤ（Cash dispenser）等の用途に幅広く用いられている。このようなレシート等を発行するプリンタは、記録紙がロール状に巻かれており、記録紙を搬送しながら印字ヘッドにより印字等を行ない、所定の長さまで記録紙を搬送した後カッターで所定の長さで切断するものである。
【０００３】
プリンタ本体部と、本体部に接続された蓋部を有するプリンタ装置がある。例えば、本体部にサーマルヘッドまたはプラテンローラの一方が取り付けられており、蓋部にサーマルヘッドまたはプラテンローラの他方が取り付けられている。この構造のプリンタ装置に記録紙を設置する際には、プリンタ本体と蓋部との間を開き、開いた空間に記録紙を挿入する。
【０００４】
このようなプリンタ装置について、図１により説明する。図１のプリンタ装置は、プリンタの本体部９１０とヘッドユニット９２０とを有しており、本体部９１０とヘッドユニット９２０とが２つのアーム９３０により接続されている。図１のプリンタ装置では、本体部９１０にプラテンローラ９１１が設置されており、ヘッドユニット９２０には不図示のサーマルヘッドが設置されている。
【０００５】
このプリンタ装置に記録紙を設置するには、図１（ａ）の本体部９１０とヘッドユニット９２０とが接続されている状態から、図１（ｂ）に示されるように本体部９１０からヘッドユニット９２０を上に持ち上げ、本体部９１０とヘッドユニット９２０とが離れた状態にする。このように、本体部９１０とヘッドユニット９２０とが離れることにより本体部９１０とヘッドユニット９２０との間に生じる空間９４０に矢印１Ａ方向に記録紙を通すことにより、プリンタ装置に記録紙が設置される。
【０００６】
ところで、図１のプリンタ装置では、本体部９１０からヘッドユニット９２０を持ち上げて記録紙が設置される。従って、ヘッドユニット９２０が記録紙を通す際に邪魔となり、プリンタ装置に記録紙を設置するための時間や手間を要していた。尚、本体部９１０からヘッドユニット９２０をより高く持ち上げ、空間９４０を広くすることにより、作業の時間を短縮することは可能ではあるが、この場合には、大型のアーム９３０が必要となるため、小型化には不向きであり、また、強度等の点においても問題となる。
【０００７】
これらの問題を解決するため、ヘッドユニットが取り付けられている蓋部を開く際に、本体部と蓋部とを接続する第１の軸を中心に蓋部を回動させ、更に、第１の軸と直交する第２の軸を中心に蓋部を回動させる構造にすることにより、小型であって記録紙が設置しやすい構造のプリンタ装置が開示されている（例えば、特許文献２）。
【先行技術文献】
【特許文献】
【０００８】
【特許文献１】特開平１１−１２９５７１号公報
【特許文献２】特開２０１４−４３０８３号公報
【発明の概要】
【発明が解決しようとする課題】
【０００９】
しかしながら、蓋部を第１の軸を中心に回動させ、更に第１の軸と直交する第２の軸を中心に回動させる構造の場合、蓋部を開く際のスペースが広くなる。また、第１の軸を中心に蓋部を回動させた後、第２の軸を中心に蓋部を回動させる操作はしにくく、特に、作業を急いでいる場合には回動方向以外の方向に力が加わり、本体部と蓋部との接続部分が変形し、蓋部を閉じることができなくなってしまう場合がある。
【００１０】
このため、小型で、記録紙を設置する際の蓋部の開閉操作のしやすいプリンタ装置が求められている。
【課題を解決するための手段】
【００１１】
本発明における一観点によれば、本体部と、蓋部とを有するプリンタ装置において、前記本体部及び前記蓋部の一方に設けられた長穴と、他方に設けられた前記長穴に対応する第１の接続軸部と、前記本体部及び前記蓋部の一方に設けられた溝と、他方に設けられた前記溝に対応する第２の接続軸部と、を有し、前記蓋部は、前記第１の接続軸部を軸として前記本体部に回動可能に取り付けられ、前記溝は前記長穴の長手方向に平行に設けられており、前記第２の接続軸部が前記溝にある状態では、前記本体部に対して蓋部がスライドし、前記第２の接続軸部が前記溝より外に出ている状態では、前記第１の接続軸部を軸に蓋部を回動させることができることを特徴とする。
【発明の効果】
【００１２】
開示のプリンタ装置によれば、小型で、記録紙を設置する際の蓋部の開閉操作のしやすいプリンタ装置を提供することができる。
【図面の簡単な説明】
【００１３】
【図１】蓋を有するプリンタ装置の説明図
【図２】本実施の形態のプリンタ装置の蓋部が閉じられた状態の斜視図
【図３】本実施の形態のプリンタ装置の蓋部が閉じられた状態の上面図
【図４】本実施の形態のプリンタ装置の蓋部が閉じられた状態の右側面図
【図５】本実施の形態のプリンタ装置の蓋部が閉じられた状態の説明図（１）
【図６】本実施の形態のプリンタ装置の蓋部が閉じられた状態の説明図（２）
【図７】本実施の形態のプリンタ装置の蓋部が閉じられた状態の説明図（３）
【図８】本実施の形態のプリンタ装置の蓋部が開く途中の状態の斜視図
【図９】本実施の形態のプリンタ装置の蓋部が開く途中の状態の上面図
【図１０】本実施の形態のプリンタ装置の蓋部が開く途中の状態の説明図
【図１１】本実施の形態のプリンタ装置の蓋部がスライドした状態の斜視図
【図１２】本実施の形態のプリンタ装置の蓋部がスライドした状態の上面図
【図１３】本実施の形態のプリンタ装置の蓋部がスライドした状態の説明図
【図１４】本実施の形態のプリンタ装置の蓋部がスライドした状態の断面図
【図１５】本実施の形態のプリンタ装置の蓋部が回動可能な状態の説明図
【図１６】本実施の形態のプリンタ装置の蓋部が回動して開いた状態の斜視図（１）
【図１７】本実施の形態のプリンタ装置の蓋部が回動して開いた状態の斜視図（２）
【図１８】本実施の形態のプリンタ装置の蓋部が回動して開いた状態の上面図
【図１９】本実施の形態のプリンタ装置の蓋部が回動して開いた状態の右側面図
【図２０】本実施の形態のプリンタ装置の蓋部が回動して開いた状態の断面図
【発明を実施するための形態】
【００１４】
本発明を実施するための形態について、以下に説明する。尚、同じ部材等については、同一の符号を付して説明を省略する。また、本願においては、Ｘ１−Ｘ２方向、Ｙ１−Ｙ２方向、Ｚ１−Ｚ２方向を相互に直交する方向とし、Ｘ１−Ｘ２方向及びＹ１−Ｙ２方向を含む面をＸＹ面とし、Ｙ１−Ｙ２方向及びＺ１−Ｚ２方向を含む面をＹＺ面とし、Ｚ１−Ｚ２方向及びＸ１−Ｘ２方向を含む面をＺＸ面とし、Ｘ１側を右側、Ｘ２側を左側とする。
【００１５】
（プリンタ装置の構造）
本実施の形態におけるプリンタ装置について、図２〜図６に基づき説明する。図２〜図６は蓋部２０が閉じられている状態のプリンタ装置を示しており、図２は斜視図であり、図３は上面図であり、図４は右側面図であり、図５は右側面の筐体の一部を透過した図であり、図６は左側面の筐体の一部を透過した図である。
【００１６】
本実施の形態におけるプリンタ装置は、本体部１０と、本体部１０に対して開閉可能な蓋部２０とを有している。本体部１０の筐体１１の内部には印刷ヘッドであるサーマルヘッド３０が設けられている。蓋部２０にはプラテンローラ４０及び記録紙ガイド２１が設けられている。
【００１７】
本実施の形態では、本体部１０のＹ２側に蓋部２０が取り付けられている。本体部１０の筐体１１のＺ１側の上面１１ａには長穴１２が設けられており、筐体１１のＸ１側の側面１１ｂには溝１３が設けられている。長穴１２は上面１１ａのＸ２側に設けられており、Ｙ１−Ｙ２方向に細長く形成されており、閉じられている。溝１３は側面１１ｂのＹ２側に設けられており、Ｙ１−Ｙ２方向に細長く形成されており、Ｙ２側が開いている。
【００１８】
蓋部２０には、長穴１２に入る第１のピン又は軸２２と、溝１３に入る第２のピン又は軸２３が取り付けられている。本実施の形態では、ピン又は軸としてネジが用いられており、以下の説明では「ネジ」と称する。ただし、ネジと同様の機能を有する限りにおいて、ネジ以外のピンなどの要素を用いることが可能である。第１のネジ２２及び第２のネジ２３は、ネジ山が形成されている軸と、軸よりも径の大きい頭部とを有し、軸は蓋部２０のネジ穴に入れられ蓋部２０に取り付けられている。図２では第１のネジ２２が長穴１２に入っており、第２のネジ２３が溝１３に入っている。本願においては、第１のネジ２２を第１の接続軸部と記載し、第２のネジ２３を第２の接続軸部と記載する場合がある。
【００１９】
本体部１０と蓋部２０との間には、コイルバネ５０が設けられている。コイルバネ５０は一方の端部が本体部１０のバネ支持部１４と接触しており、他方の端部が蓋部２０のバネ支持部２４と接触している。図２〜図６に示される状態ではコイルバネ５０の伸びる方向に復元力が生じており、バネ支持部２４とコイルバネ５０とが接触しているため蓋部２０がＹ２方向に付勢されている。
【００２０】
筐体１１の内部には、付勢部材である板バネ１５が設けられている。板バネ１５のＸ１側のＹＺ面に平行な面には、Ｘ１側に凸となる突起１５ａが設けられており、ＸＹ面に平行な面のＸ２側には穴１５ｂが設けられている。蓋部２０のＸ１側の側面には、Ｚ１側に突き出た係止部２５が設けられている。図２〜図６では、係止部２５は突起１５ａよりもＹ１側に位置する。蓋部２０のＸ２側の第１のネジ２２が取り付けられている蓋部材２６のＹ１側には、Ｚ１側に凸となる突起２７が設けられている。
【００２１】
本実施の形態におけるプリンタ装置では、図７に示されるように、不図示の記録紙ホルダの内部にロール状の記録紙１００が設置される。記録紙１００は、サーマルヘッド３０とプラテンローラ４０との間に挟まれた状態で、プラテンローラ４０が回転することにより搬送され、サーマルヘッド３０により印刷がなされる。印刷された記録紙１００は、本体部１０と蓋部２０との間の排紙口６０より排出される。また、本体部１０のＺ２側には、蓋部２０を開くためのレバー７０が設けられている。
【００２２】
（蓋部を開く動作）
次に、本実施の形態における蓋部２０を開く動作について説明する。本実施の形態では、図２〜図７に示されるように蓋部２０が閉じられている状態で印刷をすることができるが、例えば、記録紙ホルダに設置されている記録紙１００がなくなった場合には、記録紙を補充する必要がある。また、記録紙１００がサーマルヘッド３０とプラテンローラ４０との間や排紙口６０において詰まった場合には、詰まった記録紙を取り除く必要がある。従って、これらの場合には、蓋部２０を開く必要がある。尚、蓋部２０を開く際には、開いた蓋部２０のためのスペースが必要となるが、このスペースはできるだけ狭い方が、プリンタ装置が設置される装置の大型化を招くことがないため好ましい。
【００２３】
本実施の形態の蓋部２０を開く動作について、具体的に説明する。図８は、レバー７０を操作して蓋部２０が少し開いた状態のプリンタ装置の斜視図であり、図９は上面図であり、図１０は左側面の筐体の一部を透過した図である。
【００２４】
図２〜図７に示される蓋部２０が閉じられている状態から、レバー７０を破線矢印Ａ（Ｙ１）方向に押すことにより、本体部１０と蓋部２０との不図示の係止部が外れる。そのため、コイルバネ５０により本体部１０に対し蓋部２０がＹ２方向に押され、図８〜図１０に示すように係止部が外れた蓋部２０がＹ２方向にスライドして移動する。尚、不図示の係止部は、蓋部２０を閉じた状態に維持するために設けられている。図８〜図１０の状態では、第１のネジ２２は長穴１２に入った状態で長穴１２内をＹ２方向に移動し、第２のネジ２３は溝１３に入った状態で溝１３内をＹ２方向に移動するため、本体部１０に対し蓋部２０がＹ２方向にスライドして移動する。
【００２５】
更に、図１１〜図１４に示すように、蓋部２０を破線矢印Ｂ（Ｙ２）方向に動かすことにより、本体部１０に対し蓋部２０が更にＹ２方向にスライドし、蓋部２０を引き出すことが出来る。図１１は、蓋部２０が更に開いた状態のプリンタ装置の斜視図であり、図１２は上面図であり、図１３は右側面の筐体の一部を透過した図であり、図１４はＹＺ面に平行な断面図である。
【００２６】
図１１〜図１４に示されるように、蓋部２０を破線矢印Ｂ（Ｙ２）方向に動かすことにより、本体部１０に対し蓋部２０がＹ２方向にスライドして移動する。図１１〜図１４の状態でも、第１のネジ２２は長穴１２に入った状態で長穴１２内をＹ２方向に移動し、第２のネジ２３は溝１３に入った状態で溝１３内をＹ２方向に移動する。
【００２７】
また、図１１〜図１４の状態では、係止部２５は、板バネ１５に設けられている突起１５ａよりも蓋部２０のスライド方向においてＹ１側にあり、図１３に示すように突起１５ａのＹ１側の端が係止部２５のＹ２側の端と接触する。係止部２５と突起１５ａとの接触により、本体部１０に対する蓋部２０のスライド移動が制限される。
【００２８】
図１４に示す状態では、本体部１０と蓋部２０との間に隙間ができる。特に図６と図１４とを比較すれば分かるように、蓋部２０を引き出すことによって蓋部２０に設けられた記録紙ガイド２１やプラテンローラ４０と、本体部１０に設けられたサーマルヘッド３０との間隔を広げることが出来る。このため、この隙間より詰まった記録紙を取り除くことができる。従って、蓋部２０は本体部１０に対しスライドさせるだけで、詰まった記録紙１００を取り除くことが出来る。尚、この状態では、本体部１０と蓋部２０との隙間は狭いため、記録紙１００を補充したり、交換したりすることはできない。
【００２９】
次に、更に蓋部２０をＹ２方向に引っ張ることにより、図１５に示されるように、蓋部２０がＹ２方向に動き、係止部２５が、蓋部２０のスライド方向において突起１５ａよりもＹ２側に移動する。
【００３０】
蓋部２０をＹ２方向に強く引っ張ることにより、突起１５ａに接触している係止部２５により突起１５ａがＸ２方向に押されて板バネ１５が撓み、突起１５ａがＸ２方向に変位する。これにより、係止部２５を突起１５ａよりもＹ２方向に動かすことができる。
【００３１】
図１５の状態では第２のネジ２３は溝１３の開いているＹ２側から出ており、蓋部２０のＸ１側は本体部１０とは接続されていない状態となるため、蓋部２０のＸ１側は自由に動くことができる。また、図１５に示される状態では、第１のネジ２２は長穴１２内のＹ２側に位置している。このため、第１のネジ２２を軸として、図１６に示すように、蓋部２０を破線矢印Ｃに示す方向に回動させることができる。
【００３２】
具体的には、図１６〜図２０に示すように蓋部２０を破線矢印Ｃ方向に回動させることにより、蓋部２０を完全に開くことができる。これにより、記録紙ホルダに記録紙１００を補充したり、記録紙を交換したりすることができる。図１６は、蓋部２０が完全に開いた状態のプリンタ装置の上面側から見た斜視図であり、図１７は底面側から見た斜視図であり、図１８は上面図であり、図１９は右側面図であり、図２０はＹＺ面に平行な断面図である。尚、図２０では、記録紙１００が入れられている状態を示している。
【００３３】
図１７に示されるように、本実施の形態では本体部１０の底面となるＺ２側にも、長穴１２に対応する位置に長穴１８が設けられており、蓋部２０のＺ２側の面には、第１のネジ２２に対応する位置に第３のネジ２８が取り付けられている。第３のネジ２８は長穴１８に入り込んでいるため、第１のネジ２２と第３のネジ２８とを軸に蓋部２０が回動する。尚、図１７に示される本体部１０の内側のスペースに記録紙が配置される。
【００３４】
蓋部２０を回動させると、蓋部材２６に設けられている突起２７がこれに合わせて回動する。蓋部２０が開ききる位置まで回動すると、突起２７が板バネ１５に設けられている穴１５ｂの内部に入り込む。これによって蓋部２０の回動が止まり、蓋部２０が完全に開いた状態を維持することが出来る。
【００３５】
本実施の形態におけるプリンタ装置では、図１７に示されるように、本体部１０には、サーマルヘッド３０が取り付けられている固定刃メカユニット１９が、蓋部２０には、プラテンローラ４０が取り付けられている可動刃メカユニット２９が取り付けられている。
【００３６】
尚、本実施の形態は、本体部１０に第１のネジ及び第２のネジが取り付けられており、蓋部２０にこれらに対応する長穴及び溝が設けられている構造のものであってもよい。
【００３７】
以上、本発明の実施に係る形態について説明したが、上記内容は、発明の内容を限定するものではない。
【符号の説明】
【００３８】
１０        本体部
１１        筐体
１２        長穴
１３        溝
１４        バネ支持部
１５        板バネ
１５ａ      突起
１５ｂ      穴
１８        長穴
２０        蓋部
２２        第１のネジ
２３        第２のネジ
２４        バネ支持部
２５        係止部
２６        蓋部材
２７        突起
２８        第３のネジ
３０        サーマルヘッド
４０        プラテンローラ
５０        コイルバネ
６０        排紙口
７０        レバー
１００      記録紙
【図１】
2019126913.tif 000003
【図２】
2019126913.tif 000004
【図３】
2019126913.tif 000005
【図４】
2019126913.tif 000006
【図５】
2019126913.tif 000007
【図６】
2019126913.tif 000008
【図７】
2019126913.tif 000009
【図８】
2019126913.tif 000010
【図９】
2019126913.tif 000011
【図１０】
2019126913.tif 000012
【図１１】
2019126913.tif 000013
【図１２】
2019126913.tif 000014
【図１３】
2019126913.tif 000015
【図１４】
2019126913.tif 000016
【図１５】
2019126913.tif 000017
【図１６】
2019126913.tif 000018
【図１７】
2019126913.tif 000019
【図１８】
2019126913.tif 000020
【図１９】
2019126913.tif 000021
【図２０】
2019126913.tif 000022